【手続補正書】
【提出日】平成17年5月30日(2005.5.30)
【手続補正１】
【補正対象書類名】明細書
【補正対象項目名】全文
【補正方法】変更
【補正の内容】
【書類名】  明細書
【発明の名称】  ジャー炊飯器
【特許請求の範囲】
【請求項１】  炊飯器本体と、前記炊飯器本体に着脱自在に収納される鍋と、前記炊飯器本体の後方に配し略上端に凸部を有するヒンジ部と、前記ヒンジ部に取り付けたヒンジ軸に軸支され開閉自在に前記炊飯器本体の上面を覆う蓋体とを備え、前記ヒンジ部の略上端の凸部は開蓋時に前記蓋体のヒンジ部と対向した面に設けた凹部に狭持されるようにしたジャー炊飯器。
【請求項２】  炊飯器本体と、前記炊飯器本体に着脱自在に収納される鍋と、前記炊飯器本体の後方に配し略上端に凸部を有するヒンジ部と、前記ヒンジ部に取り付けたヒンジ軸に軸支され開閉自在に前記炊飯器本体の上面を覆う蓋体とを備え、前記ヒンジ部の略上端の凸部は開蓋時に前記蓋体のヒンジ部と対向した面に設けた板ばねに狭持されるようにしたジャー炊飯器。
【請求項３】  ヒンジ部の略上端の凸部をヒンジ部と別部材で構成した請求項１または２記載のジャー炊飯器。
【請求項４】  炊飯器本体と、前記炊飯器本体に着脱自在に収納される鍋と、前記炊飯器本体の後方に配し略上端に凹部を有するヒンジ部と、前記ヒンジ部に取り付けたヒンジ軸に軸支され開閉自在に前記炊飯器本体の上面を覆う蓋体とを備え、前記ヒンジ部の略上端の凹部は開蓋時に前記蓋体のヒンジ部と対向した面に設けた凸部を狭持するようにしたジャー炊飯器。
【請求項５】  炊飯器本体と、前記炊飯器本体に着脱自在に収納される鍋と、前記炊飯器本体の後方に配し略上端に凹部を有するヒンジ部と、前記ヒンジ部に取り付けたヒンジ軸に軸支され開閉自在に前記炊飯器本体の上面を覆う蓋体とを備え、前記ヒンジ部の略上端の凹部は開蓋時に前記蓋体のヒンジ部と対向した面に設けた板ばねを狭持するようにしたジャー炊飯器。
【請求項６】  ヒンジ部の略上端の凹部をヒンジ部と別部材で構成した請求項４または５記載のジャー炊飯器。
【発明の詳細な説明】
【０００１】
【発明の属する技術分野】
本発明は、鍋を着脱自在に収納した炊飯器本体の上面を開閉自在に覆う蓋体を有するジャー炊飯器に関するものである。
【０００２】
【従来の技術】
従来、この種の炊飯器は図１４に示すように構成していた。以下、その構成について説明する。
【０００３】
図１４に示すように、炊飯器本体５１は着脱自在に鍋５２を収納し、底誘導コイル５３により鍋５２を誘導加熱して炊飯・保温を行うようにしている。底誘導コイル５３は、鋳込みヒータに代えて鍋を加熱するようにしてもよい。鍋温度センサ５４は、鍋５２の温度を検知し、制御部５５へ信号を送る。制御部５５は鍋温度センサ５４の信号より底誘導コイル５３の加熱量を制御し、鍋５２の温度を炊飯・保温時に制御する。
【０００４】
炊飯器本体５１の上部は、炊飯器本体後部のヒンジ部５６に設けたヒンジ軸５７に軸支され、開閉自在な蓋体５８で覆われている。蓋体５８に、鍋５２の内部空間を加熱する加熱板５９を設けており、加熱板５９は蓋誘導コイル６０により誘導加熱され発熱する。ここで、蓋誘導コイル６０の代わりに、電気抵抗で発熱する発熱線を加熱板５９に貼り付けてもよい。蓋誘導コイル６０は制御部５５より電力供給を受け、加熱板５９を誘導加熱する。
【０００５】
蓋体５８は、図１５に示すように、ヒンジ部５６に設けたヒンジばね６２で常に開蓋付勢力が与えられており、炊飯器本体５１の前方に設けたフックレバー６０と蓋体５８ａの係合を解除すると、蓋体５８はヒンジばねの６２付勢力で開く。ここで、図１５に示すように、蓋体５８の後端に凸部５８ｂを設けており、開蓋時、炊飯器本体５１の後部を覆うヒンジカバー６１の溝部６１ａに凸部５８ｂは狭持され、ヒンジばね６２による開蓋時の衝撃を弱めるブレーキ機構として機能する。
【０００６】
【発明が解決しようとする課題】
しかしながら、上述の炊飯器では、開蓋の衝撃を弱めるブレーキ機構の制動力を大きくするには、凸部５８ｂを開蓋時に狭持する力を大きくするか、ヒンジ軸５７から少しでも離れたところで、ブレーキ機構を構成する必要があるが、前者は凸部２８ｂの高度な寸法安定性が必要で、かつ耐磨耗性などの耐久性確保が難しい。また、後者はヒンジ軸５７の後方の空間を広くとる必要があり、炊飯器本体５１の設置面積が大きくなってしまう。加えて、開蓋時の衝撃をヒンジカバー６１で保持するので、ブレーキ機構がヒンジ軸５７から多くの部品を介して構成されることにより、ブレーキの制動力が不安定であった。
【０００７】
本発明は上記従来の課題を解決するもので、省スペースで安定的した開蓋時のブレーキ機構を構成し、使い勝手を向上することを目的としている。
【０００８】
【課題を解決するための手段】
本発明は上記目的を達成するために、炊飯器本体に鍋を着脱自在に収納し、炊飯器本体の後方に、略上端に凸部を有するヒンジ部を配し、このヒンジ部に取り付けたヒンジ軸に軸支した蓋体により炊飯器本体の上面を開閉自在に覆うよう構成し、ヒンジ部の略上端の凸部は開蓋時に蓋体のヒンジ部と対向した面に設けた凹部に狭持されるようにしたものである。
【０００９】
これにより、省スペースで、かつ開蓋時の衝撃を安定的に吸収できるブレーキ機構を構成することができ、使い勝手を向上することができる。
【００１０】
【発明の実施の形態】
本発明の請求項１に記載の発明は、炊飯器本体と、前記炊飯器本体に着脱自在に収納される鍋と、前記炊飯器本体の後方に配し略上端に凸部を有するヒンジ部と、前記ヒンジ部に取り付けたヒンジ軸に軸支され開閉自在に前記炊飯器本体の上面を覆う蓋体とを備え、前記ヒンジ部の略上端の凸部は開蓋時に前記蓋体のヒンジ部と対向した面に設けた凹部に狭持されるようにしたものであり、省スペースで、かつ開蓋時の衝撃を安定的に吸収できるブレーキ機構を構成することができ、使い勝手を向上することができる。
【００１１】
請求項２に記載の発明は、炊飯器本体と、前記炊飯器本体に着脱自在に収納される鍋と、前記炊飯器本体の後方に配し略上端に凸部を有するヒンジ部と、前記ヒンジ部に取り付けたヒンジ軸に軸支され開閉自在に前記炊飯器本体の上面を覆う蓋体とを備え、前記ヒンジ部の略上端の凸部は開蓋時に前記蓋体のヒンジ部と対向した面に設けた板ばねに狭持されるようにしたものであり、蓋体の重量が重く、ヒンジばねの開蓋付勢力が大きくても、省スペースで、かつ開蓋時の衝撃を安定的に吸収できるブレーキ機構が構成することができ、使い勝手を向上することができる。
【００１２】
請求項３に記載の発明は、上記請求項１または２に記載の発明において、ヒンジ部の略上端の凸部をヒンジ部と別部材で構成したものであり、蓋体の重量やヒンジばねの開蓋付勢力の大きさに応じて、ブレーキ機構の制動力を調節したり、ブレーキ機構の耐摩耗性や高摩擦力など様々な特性を持たせたりできる。
【００１３】
請求項４に記載の発明は、炊飯器本体と、前記炊飯器本体に着脱自在に収納される鍋と、前記炊飯器本体の後方に配し略上端に凹部を有するヒンジ部と、前記ヒンジ部に取り付けたヒンジ軸に軸支され開閉自在に前記炊飯器本体の上面を覆う蓋体とを備え、前記ヒンジ部の略上端の凹部は開蓋時に前記蓋体のヒンジ部と対向した面に設けた凸部を狭持するようにしたものであり、省スペースで、かつ開蓋時の衝撃を安定的に吸収できるブレーキ機構を構成することができ、使い勝手を向上することができる。
【００１４】
請求項５に記載の発明は、炊飯器本体と、前記炊飯器本体に着脱自在に収納される鍋と、前記炊飯器本体の後方に配し略上端に凹部を有するヒンジ部と、前記ヒンジ部に取り付けたヒンジ軸に軸支され開閉自在に前記炊飯器本体の上面を覆う蓋体とを備え、前記ヒンジ部の略上端の凹部は開蓋時に前記蓋体のヒンジ部と対向した面に設けた板ばねを狭持するようにしたものであり、蓋体の重量が重く、ヒンジばねの開蓋付勢力が大きくても、省スペースで、かつ開蓋時の衝撃を安定的に吸収できるブレーキ機構が構成することができ、使い勝手を向上することができる。
【００１５】
請求項６に記載の発明は、上記請求項４または５に記載の発明において、ヒンジ部の略上端の凹部をヒンジ部と別部材で構成したものであり、蓋体の重量やヒンジばねの開蓋付勢力の大きさに応じて、ブレーキ機構の制動力を調節したり、ブレーキ機構の耐摩耗性や高摩擦力など様々な特性を持たせたりできる。
【００１６】
【実施例】
以下、本発明の実施例について、図面を参照しながら説明する。
【００１７】
（実施例１）
図１に示すように、炊飯器本体１は有底筒状の鍋収納部１ａを有し、着脱自在に鍋２を収納する。鍋収納部１ａの底部に設けた底誘導コイル３により鍋２を誘導加熱し、炊飯・保温を行う。なお、底誘導コイル３を用いた誘導加熱方式ではなく、鋳込みヒータで鍋２を加熱する場合もあるが、誘導加熱方式の方がより高火力・高効率で鍋を加熱することができる。
【００１８】
鍋温度センサ４は鍋２の温度を検知し、制御部５へ信号を送る。制御部５は鍋温度センサ４の信号より底誘導コイル３の通電量を制御し、鍋２の加熱量を可変することで鍋２の温度を炊飯・保温時に適温に制御する。
【００１９】
炊飯器本体１の上部は、炊飯器本体１の後部のヒンジ部６に設けたヒンジ軸７にて軸支した開閉自在な蓋体８で覆われている。
【００２０】
炊飯中や保温中にご飯から発生した蒸気は蓋体８の鍋側に付着し、蓋体８を開いたときに露が炊飯器本体１の上縁部１ｂに滴下したり、保温中にご飯の上に落下してご飯を白化させたりする。そこで、蓋体８に、鍋２の内部空間を加熱する加熱板９を設けており、加熱板９は蓋誘導コイル１０により誘導加熱され発熱し、炊飯・保温中の蓋体８への露つきを防止する。ここで、蓋誘導コイル１０の代わりに、電気抵抗で発熱する発熱線を加熱板９に貼り付ける方式もあるが、誘導加熱方式の方がより、効率的に加熱板９を発熱させることができる。
【００２１】
加熱板９に加熱板蒸気口９ａを設けており、炊飯・保温中に発生する蒸気は、加熱板蒸気口９ａを通過し、蓋蒸気口８ｃから外部へ流出する。蒸気口パッキン１１は、加熱板蒸気口９ａからの蒸気が蓋体８の内部に流入するのを防止している。また、鍋パッキン１２は、加熱板９と鍋２のフランジ部２ａの間から蒸気が外部へ漏れ出すのを防止している。
【００２２】
つぎに、蓋体８の開閉動作について説明する。蓋体８の先端には蓋係合部１３を設けており、炊飯器本体１の前方のフックボタン１４と閉蓋時に係合し、炊飯または保温中に誤って蓋が開くのを防止する。蓋体８はヒンジばね１５によって、常に開蓋付勢力が与えられており、フックボタン１４を押すと、蓋係合部１３とフックボタン１４の係合が外れ、蓋体８は開蓋を開始し、ヒンジ軸７を中心に回動して開く。ここで、ヒンジばね１５による開蓋付勢力は蓋体８が開くほど弱くなるが、開蓋の動作が途中で止まらないように、少し強めに設定されている。
【００２３】
ここで、図２に示すように、ヒンジ部６の略上端に、凸部６ａを設けており、一方、蓋体８のヒンジ部６と対向する面８ａに凹部８ｂを配し、開蓋時、凸部６ａは凹部８ｂに狭持されるようにしている。このため、開蓋終了前に凸部６ａと凹部８ｂが接触し、凸部６ａと凹部８ｂの摩擦力がヒンジばね１５の付勢力を吸収し、図３に示すように、蓋体８を静かに停止させる。
【００２４】
このように、ヒンジ部６の略上端でブレーキ機構を構成しているので、炊飯器本体１の後方に広い空間をとる必要がなく、炊飯器本体１の面積が小さくなることから、炊飯器の設置面積が少なくて済む。加えて、同じ摩擦力であれば、ブレーキ機構の制動力は回転中心からの距離が遠いほど比例して大きくなるが、本実施例の構成によると、ブレーキ機構をヒンジ部６の略上端で構成することで、従来の構成よりも回転中心からブレーキ機構までの距離を長くでき、同じ摩擦力でも大きな制動力を得ることができる。
【００２５】
また、ヒンジ軸７を介して、炊飯器本体１と蓋体８でブレーキ機構を構成でき、ブレーキ機構の制動力は凸部６ａと凹部８ｂの接触面の寸法関係のみで決まるので、多数の部品を介することによるブレーキの制動力の不安定さを回避でき、安定したブレーキの制動力を得ることができる。
【００２６】
（実施例２）
図４に示すように、蓋体１８は、炊飯・保温中に発生する蒸気を外部に流出する蓋蒸気口１８ｃを設けるとともに、炊飯器の動作状態を表示する表示部１６と炊飯器の動作を操作する操作部１７を配置している。そして、蓋体１８のヒンジ部６と対向する面１８ａに、図５に示すように、板ばね１９を取付けている。他の構成は上記実施例１と同じであり、同一符号を付して説明を省略する。
【００２７】
上記構成において作用を説明する。蓋体１８の天面に表示部１６あるいは操作部１７を配すると炊飯器の操作性がよく、また、動作状態も見やすいので、使い勝手がよい。しかしながら、蓋体１８が重くなり、ヒンジばね１５の開蓋付勢力も大きくしなければならないので、ブレーキの制動力も強くする必要がある。
【００２８】
ここで、本実施例では、開蓋時、図６に示すように、ヒンジ部６の略上端の凸部６ａは板ばね１９によって狭持される。板ばね１９のばね性で、より大きな摩擦力を得ることができ、かつ板ばね１９のたわみ性により多少の板ばね１９の寸法がばらついても、安定した制動力を得ることができる。そのため、蓋体１８が重くなっても、安定した制動力を得ることができる。
【００２９】
また、板ばね１９を金属材料で構成すると、より高い制動力を安定して得ることができ、加えて耐磨耗性などの耐久性もよく、長期間にわたり安定した制動力を得ることができる。
【００３０】
（実施例３）
図７に示すように、炊飯器本体２１は有底筒状の鍋収納部２１ａを有し、着脱自在に鍋２２を収納する。鍋収納部２１ａの底部に設けた底誘導コイル２３により鍋２２を誘導加熱し、炊飯・保温を行う。なお、底誘導コイル２３を用いた誘導加熱方式ではなく、鋳込みヒータで鍋２を加熱する場合もあるが、誘導加熱方式の方がより高火力・高効率で鍋を加熱することができる。
【００３１】
鍋温度センサ２４は鍋２２の温度を検知し、制御部２５へ信号を送る。制御部２５は鍋温度センサ２４の信号より底誘導コイル２３の通電量を制御し、鍋２２の加熱量を可変することで鍋２２の温度を炊飯・保温時に適温に制御する。
【００３２】
炊飯器本体２１の上部は、炊飯器本体２１の後部のヒンジ部２６に設けたヒンジ軸２７にて軸支した開閉自在な蓋体２８で覆われている。
【００３３】
炊飯中や保温中にご飯から発生した蒸気は蓋体２８の鍋側に付着し、蓋体２８を開いたときに露が炊飯器本体１の上縁部１ｂに滴下したり、保温中にご飯の上に落下してご飯を白化させたりする。そこで、蓋体２８に、鍋２２の内部空間を加熱する加熱板２９を設けており、加熱板２９は蓋誘導コイル３０により誘導加熱され発熱し、炊飯・保温中の蓋体２８への露つきを防止する。ここで、蓋誘導コイル３０の代わりに、電気抵抗で発熱する発熱線を加熱板２９に貼り付ける方式もあるが、誘導加熱方式の方がより、効率的に加熱板２９を発熱させることができる。
【００３４】
加熱板２９に加熱板蒸気口２９ａを設けており、炊飯・保温中に発生する蒸気は、加熱板蒸気口２９ａを通過し、蓋蒸気口２８ｃから外部へ流出する。蒸気口パッキン３１は、加熱板蒸気口２９ａからの蒸気が蓋体２８の内部に流入するのを防止している。また、鍋パッキン３２は、加熱板２９と鍋２２のフランジ部２２ａの間から蒸気が外部へ漏れ出すのを防止している。
【００３５】
つぎに、蓋体２８の開閉動作について説明する。蓋体２８の先端には蓋係合部３３を設けており、炊飯器本体２１の前方のフックボタン３４と閉蓋時に係合し、炊飯または保温中に誤って蓋が開くのを防止する。蓋体２８はヒンジばね３５によって、常に開蓋付勢力が与えられており、フックボタン３４を押すと、蓋係合部３３とフックボタン３４の係合が外れ、蓋体２８は開蓋を開始し、ヒンジ軸２７を中心に回動して開く。ここで、ヒンジばね３５による開蓋付勢力は蓋体２８が開くほど弱くなるが、開蓋の動作が途中で止まらないように、少し強めに設定されている。
【００３６】
ここで、図８に示すように、ヒンジ部２６の略上端に、凹部２６ａを設けており、一方、蓋体２８のヒンジ部２６と対向する面２８ａに凸部２８ｂを配し、開蓋時、凹部２６ａは凸部２８ｂに狭持されるようにしている。このため、開蓋終了前に凹部２６ａと凸部２８ｂが接触し、凹部２６ａと凸部２８ｂの摩擦力がヒンジばね３５の付勢力を吸収し、図９に示すように、蓋体２８を静かに停止させる。
【００３７】
このように、ヒンジ部２６の略上端でブレーキ機構を構成しているので、炊飯器本体２１の後方に広い空間をとる必要がなく、炊飯器本体２１の面積が小さくなることから、炊飯器の設置面積が少なくて済む。加えて、同じ摩擦力であれば、ブレーキ機構の制動力は回転中心からの距離が遠いほど比例して大きくなるが、本実施例の構成によると、ブレーキ機構をヒンジ部２６の略上端で構成することで、従来の構成よりも回転中心からブレーキ機構までの距離を長くでき、同じ摩擦力でも大きな制動力を得ることができる。
【００３８】
また、ヒンジ軸２７を介して、炊飯器本体２１と蓋体２８でブレーキ機構を構成でき、ブレーキ機構の制動力は凹部２６ａと凸部２８ｂの接触面の寸法関係のみで決まるので、多数の部品を介することによるブレーキの制動力の不安定さを回避でき、安定したブレーキの制動力を得ることができる。
【００３９】
（実施例４）
図１０に示すように、蓋体３８は、炊飯・保温中に発生する蒸気を外部に流出する蓋蒸気口３８ｃを設けるとともに、炊飯器の動作状態を表示する表示部３６と炊飯器の動作を操作する操作部３７を配置している。そして、蓋体３８のヒンジ部２６と対向する面３８ａに、図１１に示すように、板ばね３９を取付けている。他の構成は上記実施例３と同じであり、同一符号を付して説明を省略する。
【００４０】
上記構成において作用を説明する。蓋体３８の天面に表示部３６あるいは操作部３７を配すると炊飯器の操作性がよく、また、動作状態も見やすいので、使い勝手がよい。しかしながら、蓋体３８が重くなり、ヒンジばね３５の開蓋付勢力も大きくしなければならないので、ブレーキの制動力も強くする必要がある。
【００４１】
ここで、本実施例では、開蓋時、図１２に示すように、蓋体３８の板ばね３９はヒンジ部２６の略上端の凹部２６ａによって狭持される。板ばね３９のばね性で、より大きな摩擦力を得ることができ、かつ板ばね３９のたわみ性により多少の板ばね３９の寸法がばらついても、安定した制動力を得ることができる。そのため、蓋体３８が重くなっても、安定した制動力を得ることができる。
【００４２】
また、板ばね３９を金属材料で構成すると、より高い制動力を安定して得ることができ、加えて耐磨耗性などの耐久性もよく、長期間にわたり安定した制動力を得ることができる。
【００４３】
（実施例５）
図１３に示すように、ヒンジ部６の略上端に別部品で凸部２０を構成している。他の構成は上記実施例１または２と同じであり、同一符号を付して説明を省略する。
【００４４】
上記構成において作用を説明する。炊飯器の開発で炊飯器本体１を共用し、加熱板９の厚さや操作部１６、表示部１７の大きさといった蓋体８の仕様を変更することで、多機種のシリーズ展開を図る場合がある。この場合、蓋体８の重量が変化するが、蓋体８の重量によって、ヒンジばね１５の開蓋付勢力も変わってくるので、それに伴い、必要とされるブレーキ機構の制動力も変わってくる。
【００４５】
そこで、本実施例のように、ヒンジ部６の略上端の凸部２０を別部品で構成し、蓋体８の仕様に応じて、凸部２０のみを変更することで、それぞれの蓋体８に対して安価に最適な制動力を得ることができる。
【００４６】
また、ヒンジ部６は樹脂材料で構成されることが多いが、長期間の仕様で劣化したり、磨耗したりして、初期のブレーキ機構の制動力が得られなくなる場合がある。しかしながら、本実施例によると、ヒンジ部６の略上端の凸部２０を別部品で構成しているので、新品と交換するだけで再び初期の制動力を回復することができる。
【００４７】
さらに、凸部２０をヒンジ部６より耐摩耗性の高い材料にすれば、ブレーキ機構の性能がより長寿命となったり、摩擦抵抗の大きい材料を用いればブレーキ機構の制動力が大きくなったりと、ブレーキ機構にさまざまな特性を持たせることができる。
【００４８】
なお、本実施例では、ヒンジ部６の略上端に凸部２０を設けた構成であるが、上記実施例３または４のように、ヒンジ部２６の略上端に凹部を設けた場合も、凹部を別部品とすることで、同様の作用効果を得ることができる。
【００４９】
【発明の効果】
以上のように本発明の請求項１に記載の発明によれば、炊飯器本体と、前記炊飯器本体に着脱自在に収納される鍋と、前記炊飯器本体の後方に配し略上端に凸部を有するヒンジ部と、前記ヒンジ部に取り付けたヒンジ軸に軸支され開閉自在に前記炊飯器本体の上面を覆う蓋体とを備え、前記ヒンジ部の略上端の凸部は開蓋時に前記蓋体のヒンジ部と対向した面に設けた凹部に狭持されるようにしたから、省スペースで、かつ開蓋時の衝撃を安定的に吸収できるブレーキ機構を構成することができ、使い勝手を向上することができる。
【００５０】
また、請求項２に記載の発明によれば、炊飯器本体と、前記炊飯器本体に着脱自在に収納される鍋と、前記炊飯器本体の後方に配し略上端に凸部を有するヒンジ部と、前記ヒンジ部に取り付けたヒンジ軸に軸支され開閉自在に前記炊飯器本体の上面を覆う蓋体とを備え、前記ヒンジ部の略上端の凸部は開蓋時に前記蓋体のヒンジ部と対向した面に設けた板ばねに狭持されるようにしたから、蓋体の重量が重く、ヒンジばねの開蓋付勢力が大きくても、省スペースで、かつ開蓋時の衝撃を安定的に吸収できるブレーキ機構が構成することができ、使い勝手を向上することができる。
【００５１】
また、請求項３に記載の発明によれば、ヒンジ部の略上端の凸部をヒンジ部と別部材で構成したから、蓋体の重量やヒンジばねの開蓋付勢力の大きさに応じて、ブレーキ機構の制動力を調節したり、ブレーキ機構の耐摩耗性や高摩擦力など様々な特性を持たせたりできる。
【００５２】
また、請求項４に記載の発明によれば、炊飯器本体と、前記炊飯器本体に着脱自在に収納される鍋と、前記炊飯器本体の後方に配し略上端に凹部を有するヒンジ部と、前記ヒンジ部に取り付けたヒンジ軸に軸支され開閉自在に前記炊飯器本体の上面を覆う蓋体とを備え、前記ヒンジ部の略上端の凹部は開蓋時に前記蓋体のヒンジ部と対向した面に設けた凸部を狭持するようにしたから、省スペースで、かつ開蓋時の衝撃を安定的に吸収できるブレーキ機構を構成することができ、使い勝手を向上することができる。
【００５３】
また、請求項５に記載の発明によれば、炊飯器本体と、前記炊飯器本体に着脱自在に収納される鍋と、前記炊飯器本体の後方に配し略上端に凹部を有するヒンジ部と、前記ヒンジ部に取り付けたヒンジ軸に軸支され開閉自在に前記炊飯器本体の上面を覆う蓋体とを備え、前記ヒンジ部の略上端の凹部は開蓋時に前記蓋体のヒンジ部と対向した面に設けた板ばねを狭持するようにしたから、蓋体の重量が重く、ヒンジばねの開蓋付勢力が大きくても、省スペースで、かつ開蓋時の衝撃を安定的に吸収できるブレーキ機構が構成することができ、使い勝手を向上することができる。
【００５４】
また、請求項６に記載の発明によれば、ヒンジ部の略上端の凹部をヒンジ部と別部材で構成したから、蓋体の重量やヒンジばねの開蓋付勢力の大きさに応じて、ブレーキ機構の制動力を調節したり、ブレーキ機構の耐摩耗性や高摩擦力など様々な特性を持たせたりできる。
【図面の簡単な説明】
【図１】
本発明の第１の実施例の炊飯器の断面図
【図２】
同炊飯器のヒンジ部近傍の分解斜視図
【図３】
同炊飯器の開蓋時のヒンジ近傍の一部切欠した斜視図
【図４】
本発明の第２の実施例の炊飯器の断面図
【図５】
同炊飯器のヒンジ部近傍の分解斜視図
【図６】
同炊飯器の開蓋時のヒンジ近傍の一部切欠した斜視図
【図７】
本発明の第３の実施例の炊飯器の断面図
【図８】
同炊飯器のヒンジ部近傍の分解斜視図
【図９】
同炊飯器の開蓋時のヒンジ近傍の一部切欠した斜視図
【図１０】
本発明の第４の実施例の炊飯器の断面図
【図１１】
同炊飯器のヒンジ部近傍の分解斜視図
【図１２】
同炊飯器の開蓋時のヒンジ近傍の一部切欠した斜視図
【図１３】
本発明の第５の実施例の炊飯器のヒンジ近傍の分解斜視図
【図１４】
従来の炊飯器の断面図
【図１５】
同炊飯器のヒンジ部近傍の分解斜視図
【符号の説明】
１  炊飯器本体
２  鍋
６  ヒンジ部
６ａ  凸部
７  ヒンジ軸
８  蓋体
８ａ  ヒンジ部と対向した面
８ｂ  凹部